(57)【要約】      （修正有）【課題】位置検出部を使用することなく、位置情報が、特に低速度において高精度になる回転子の位置を求める方法を提供する。【解決手段】電動装置の複数のフェーズにおいて電圧uimpを印加し、電動装置の中を通るトータルの回転子の位置の関数である磁束の状態モデルを構築し、磁束の状態モデルと測定された電流imおよび電圧umによって、回転子の電流と速度の状態観測器を構築し、速度の状態観測器と印加された電圧ｕimpとによって、回転子の位置を求める。【選択図】図２
2014230485.tif 000002
【特許請求の範囲】
【請求項１】
突極同期電動装置（４）の回転子の位置θを求める方法であって、
前記電動装置（４）の複数のフェーズの電流imと電圧umが測定され、以下のステージ：
ａ）前記電動装置（４）の前記複数のフェーズにおいて電圧uimpを印加すること、
ｂ）前記電動装置（４）の中を通るトータルの磁束χαβの状態モデルを構築すること、前記磁束χαβは前記回転子の位置の関数であり、
ｃ）前記磁束χαβの状態モデルと、前記測定された電流imおよび電圧umによって、前記回転子の
【数１】
2014230485.tif 000056
電流 と速度
の状態観測器を構築すること、および
ｄ）前記
【数２】
2014230485.tif 000057
速度
の前記状態観測器と前記印加された電圧ｕimpとによって、前記回転子の前記
【数３】
2014230485.tif 000058
位置
を求めること、
が実行される、方法。
【請求項２】
請求項１に記載の方法において、
前記方法は、１００ｒｐｍより低いか実質的に１００ｒｐｍと等しいの前記回転子の回転速度に適用される、方法。
【請求項３】
上記請求項のいずれか１項に記載の方法において、
前記印加された電圧ｕimpは、前記電動装置（４）の制御電圧よりも大きい振幅Ｕcと、前記電動装置（４）の制御周波数よりも大きい高周波数ｆcを有する、方法。
【請求項４】
請求項３に記載の方法において、
前記振幅Ｕcは、実質的に１０Ｖであり、前記周波数ｆcは、実質的に１ｋＨｚである、方法。
【請求項５】
請求項３または４に記載の方法において、
ｊは複素数であり、θcは
【数４】
2014230485.tif 000059
となる位置としたとき、
前記複素平面における前記印加された電圧は、
【数５】
2014230485.tif 000060
のタイプの式で記載される、方法。
【請求項６】
上記請求項のいずれか１項に記載の方法において、
前記電動装置（４）中で循環しているトータルの磁束χαβの前記状態モデルは、以下のステージ：
ｉ）測定された電流ｉmおよび電圧ｕmを変換することによって、コンコーディア（concordia）参照フレームにおける電圧ｕαβおよび電流ｉαβを求めること、および
ｉｉ）Ｒは、前記電動装置（４）の巻線の抵抗としたとき、
【数６】
2014230485.tif 000061
のタイプの式によって、前記磁束のダイナミクスを求めること、
を実行することによって構築される、方法。
【請求項７】
請求項６に記載の方法において、
前記電流および前記回転子の速度の複数の前記状態観測器は、以下のステージ：
ｉ）
【数７】
2014230485.tif 000062
は、前記電動装置の永久磁石によって生成される磁束であり、
【数８】
2014230485.tif 000063
であり、
【数９】
2014230485.tif 000064
であり、（Ｌd，Ｌq）は、直接インダクタンスおよび直角位相インダクタンスであり、
【数１０】
2014230485.tif 000065
であり、
【数１１】
2014230485.tif 000066
であり、そして
【数１２】
2014230485.tif 000067
としたとき、
【数１３】
2014230485.tif 000068
のタイプの式によって、前記磁束χαβの前記状態モデルから電流ｉαβの状態表現を求めること、
ｉｉ）ｊを複素数としたとき、ｘ＝ｉα＋ｊｉβ  および  ｕ＝ｕα＋ｊｕβとすることによって、複素平面における前記状態表現を変換すること、
および
ｉｉｉ）
【数１４】
2014230485.tif 000069
は、規格化された電流測定値であり、ｋ1，ｋ2，ｇは、管理されることになる前記観測器の収束を許容するゲインとしたとき、
【数１５】
2014230485.tif 000070
のタイプの方程式によって、前記電流と前記回転子の速度の前記状態観測器を求めること、を実行することによって構成される方法。
【請求項８】
請求項５および７に記載の方法において、
前記回転子の
【数１６】
2014230485.tif 000071
位置
は、以下の複数のステージ：
ｉ）ωc＝２πｆcとしたとき、
【数１７】
2014230485.tif 000072
のタイプの方程式を用いて、
【数１８】
2014230485.tif 000073
速度
の前記状態観測器および前記印加された電圧ｕimpから、
【数１９】
2014230485.tif 000074
係数
を求めること、および
ｉｉ）Φは、推定された電流
【数２０】
2014230485.tif 000075
のカットオフ周波数ｆｃのローパスフィルタによって誘導されるフェーズシフトとしたとき、
【数２１】
2014230485.tif 000076
のタイプの方程式から、
【数２２】
2014230485.tif 000077
係数
と測定された電流ｘとを用いて、前記回転子の
【数２３】
2014230485.tif 000078
前記位置
を求めること、
を用いて測定される、方法。
【請求項９】
同期電動装置（４）を制御する方法において、
以下のステージ：
請求項１ないし８のいずれか１項に記載された方法を用いて、前記電動装置の前記回転子の
【数２４】
2014230485.tif 000079
位置および速度
を求めること、および
前記測定した位置および速度に応じて、前記同期装置のトルクを制御すること、
が実行される、方法。
【請求項１０】
同期電動装置（４）を制御するシステムにおいて、
請求項９に記載された制御方法を用いることに適した、システム。
【請求項１１】
車両、特には、少なくとも１つの同期電動装置（４）を有するハイブリッドまたは電気モータ車両において、
請求項１０に記載の制御システムをさらに有することを特徴とする、車両。
【発明の詳細な説明】
【技術分野】
【０００１】
本発明は、同期電動装置、特に、自動車のための同期電動装置の制御の分野に関する。
【背景技術】
【０００２】
同期装置は、回転部分となる回転子と固定部分となる固定子とで構成されている。回転子は、複数の永久磁石またはＤＣ電源コイルと、電磁石と呼ばれる磁気回路とで構成することができる。固定子は３つのフェーズを有し、それぞれが少なくとも１つのコイル（巻線：windingとも称する）と接続され、これら３つのコイルに電力と電圧が供給される。外力が回転子の回転に用いられる。固定子の複数のコイル（複数の巻線）内の交流電流によって誘導された磁界が、回転子の回転を引き起こす。この回転磁場の速度は「同期速度」と称される。
【０００３】
そのような電動装置を制御するために、回転子の角度位置および速度をリアルタイムで知ることが重要である。実際、位置の情報は、機械のトルクのベクトル制御の標準手法で使用される。ベクトル制御が言及される理由は、アプリケーションによって要求されたトルクを発生する機械用に、その中を循環する電流が、フェーズ中で、回転子の位置に同期して維持されなければならないからである。このため、電動装置を制御する手段は、モータの複数の端子に複数の電圧を供給し、これらの電圧は、トルク制御アルゴリズムによって提供される。
【０００４】
例えば、ホール効果または誘導タイプの複数の位置検出部が、回転子の位置を知るために一般に使用されている。しかしながら、安価な位置検出部、特に、高回転速度用のものは、十分に高精度ではなく、このため、それらは、電動装置のトルクの精密な制御を行うことができない。さらに、これらの検出部は、故障や計測ノイズが生じやすく、このため、測定の不確実性が生じる。位置検出部の使用は、例えば、英国特許出願公開ＧＢ−１２１４３３１Ａに記載されている。他の選択肢は、高分解能のインクリメンタルエンコーダ、または、リゾルバ（resolver）と呼ばれる絶対検出器、回転磁気エレメントの検出または光干渉法に基づいた検出器のような精密位置検出部の使用で構成されるが、それらは、高価であるという重大な欠点を有する。
【０００５】
従来技術の他の解決手法は、電気測定結果から、回転子の位置に応じて変動する物理量を推定することによって、回転子の位置を再構成することである。位置推定は、２つの主なカテゴリーに分類することができる。
・電動装置制御への特定の信号の注入に基づくものであって、モータの電気測定結果から位置を求める（determine）ことができるように、電動装置の複数の端子に特定電圧を印加することを必要とする。例えば、仏国特許出願公開ＦＲ−２６２３０３３Ａ１には、２つの非通電フェーズでのショートパルスの注入が記載されている。特定信号の注入は、その動作の間、モータの最適の制御を行えないという、電動装置制御に関する制約を含む。
・モータの入力に特定の信号を必要とせず、観測器(observer)とも称されるリアルタイム推定部によってその動作の数学的な記述のみに基づくが、ほぼ０または低いモータ速度の場合に精密な推定を行えないという欠点を有するもの。例えば、仏国特許ＦＲ−２７８１３１８Ｂ１は、電圧センサによって供給される信号から計算を通じて回転子の回転角度を推定する方法を開示している。米国特許出願公開ＵＳ−２０１０−２３７８１７Ａには、等価起電力モデルを使った観測器の使用が記載されている。
【０００６】
従来の解決手法の欠点を克服するために、高速用の推定方法と共に低い回転速度用の位置検出部も使用する「ハイブリッド」解決手法が知られている。例えば、出願番号ＦＲ−１１／０３９９４の出願人の特許出願には、高い回転速度用のモータの位置と速度を求めることができるアルゴリズムを有するそのようなハイブリッド解決手法が記載されている。しかしながら、これらのハイブリッド解決手法は、常に、低い電動装置速度用の検出部の使用を必要とする。さらに、従来技術の解決手法は、電動装置の制御において十分な高精度を持っておらず、実際、それらのいくつかは、カルマンフィルタ観測器と称される高度な観測器を開発する以前の曖昧な計算を行う。さらに、これらの観測器のいくつかは、多くの複雑な計算を必要とする。
【先行技術文献】
【特許文献】
【０００７】
【特許文献１】英国特許出願公開ＧＢ−１２１４３３１Ａ
【特許文献２】仏国特許出願公開ＦＲ−２６２３０３３Ａ１
【特許文献３】仏国特許ＦＲ−２７８１３１８Ｂ１
【特許文献４】米国特許出願公開ＵＳ−２０１０−２３７８１７Ａ
【発明の概要】
【発明が解決しようとする課題】
【０００８】
本発明は、電動装置の電流および信号の注入用の状態（state）観測器を使って、同期電動装置の回転子の位置および速度を求める方法を使用することを目的とする。このため、本発明によって、位置検出部を使用することなく、位置情報が、特に低速度において高精度になる。実際、信号注入は、電動装置のダイナミクスを記述するモデルを、観測可能にし、静止時を含めて、測定ノイズに対してロバストにする。
【課題を解決するための手段】
【０００９】
本発明は、突極（salient-pole）同期電動装置の回転子の位置θを求める方法に関し、前記電動装置の複数のフェーズの電流ｉmと電圧ｕmが測定される。以下のステージは、この方法のために実行される：
ａ）前記電動装置の前記複数のフェーズにおいて電圧ｕimpを印加すること、
ｂ）前記電動装置の中を通るトータルの磁束χαβの状態モデルを作成すること、前記磁束χαβは前記回転子の位置の関数であり、
ｃ）前記トータルの磁束χαβの前記状態モデルと、前記測定された電流ｉmおよび電圧ｕmと、によって、前記回転子の
【００１０】
【数１】
2014230485.tif 000003
【００１１】
電流 と速度
の状態観測器を構築すること、および
ｄ）前記
【００１２】
【数２】
2014230485.tif 000004
【００１３】
速度
の状態観測器と前記印加された電圧uimpとによって、前記回転子の前記
【００１４】
【数３】
2014230485.tif 000005
【００１５】
位置
を求めること。
【００１６】
本発明によれば、本方法は、１００ｒｐｍより低いか、実質的に１００ｒｐｍと等しい回転子の回転速度に適用される。
【００１７】
好都合に、印加された前記電圧ｕimpは、前記電動装置の制御電圧よりも大きい振幅Ｕcと、前記電動装置の制御周波数よりも大きい高周波数ｆcを有する。
【００１８】
好都合に、前記振幅Ｕcは実質的に１０Ｖであり、前記周波数ｆcは実質的に１ｋＨｚである。
【００１９】
好ましくは、ｊは複素数であり、θcは
【００２０】
【数４】
2014230485.tif 000006
【００２１】
となる位置としたとき、
前記複素平面における前記印加された電圧ｕimpは、
【００２２】
【数５】
2014230485.tif 000007
【００２３】
のタイプの式で記載される。
【００２４】
本発明の実施形態によれば、前記電動装置の中を通るトータルの磁束χαβの状態モデルは、以下の複数のステージを実行することによって構成される：
ｉ）測定された電流ｉmと電圧ｕmとを変換することによって、コンコーディア参照フレーム（Concordia reference frame）における電圧ｕαβと電流ｉαβを求めることと、
ｉｉ）Ｒは前記電動装置の複数の巻線の抵抗としたとき、
【００２５】
【数６】
2014230485.tif 000008
【００２６】
のタイプの方程式によって前記磁束χαβのダイナミクスを求めること。
【００２７】
好都合に、前記電流と回転子速度の複数の状態観測器は、以下のステージを実行することによって構成される：
ｉ）
【００２８】
【数７】
2014230485.tif 000009
【００２９】
は、前記電動装置の永久磁石によって生成される磁束であり、
【００３０】
【数８】
2014230485.tif 000010
【００３１】
であり、
【００３２】
【数９】
2014230485.tif 000011
【００３３】
であり、（Ｌd，Ｌq）は前記電動装置の直接（direct）インダクタンスおよび直角位相（quadrature）インダクタンスであり、
【００３４】
【数１０】
2014230485.tif 000012
【００３５】
であり、
【００３６】
【数１１】
2014230485.tif 000013
【００３７】
であり、そして
【００３８】
【数１２】
2014230485.tif 000014
【００３９】
としたとき、
【００４０】
【数１３】
2014230485.tif 000015
【００４１】
のタイプの式によって、前記磁束χαβの前記状態モデルから、電流ｉαβの状態表現（state representation）を求めること、
ｉｉ）ｊを複素数としたとき、ｘ＝ｉα＋ｊｉβ  および  ｕ＝ｕα＋ｊｕβとすることによって、複素平面における前記状態表現を変換すること、
および
ｉｉｉ）
【００４２】
【数１４】
2014230485.tif 000016
【００４３】
は、規格化された電流測定値であり、ｋ1，ｋ2，ｇは、管理されることになる前記観測器の収束を許容するゲインとしたとき、
【００４４】
【数１５】
2014230485.tif 000017
【００４５】
のタイプの方程式によって、電流と回転子速度の前記状態観測器を求めること。
【００４６】
さらに、前記回転子の
【００４７】
【数１６】
2014230485.tif 000018
【００４８】
位置
は、以下の複数のステージによって求めることが可能である：
ｉ）ωc＝２πｆcとしたとき、
【００４９】
【数１７】
2014230485.tif 000019
【００５０】
のタイプの方程式を使って、
【００５１】
【数１８】
2014230485.tif 000020
【００５２】
速度
の前記状態観測器および前記印加された電圧ｕimpとから、
【００５３】
【数１９】
2014230485.tif 000021
【００５４】
係数
を求めること、および
ｉｉ）φは、推定された
【００５５】
【数２０】
2014230485.tif 000022
【００５６】
電流
のカットオフ周波数fcのローパスフィルタによって誘導されるフェーズシフトとしたとき、
【００５７】
【数２１】
2014230485.tif 000023
【００５８】
のタイプの方程式から、
【００５９】
【数２２】
2014230485.tif 000024
【００６０】
係数
と測定された電流ｘとによって、前記回転子の
【００６１】
【数２３】
2014230485.tif 000025
【００６２】
前記位置
を求めること。
【００６３】
さらに、本発明は、同期電動装置を制御する方法に関し、以下の複数のステージが実行される。
【００６４】
上述した方法に応じて前記電動装置の回転子の
【００６５】
【数２４】
2014230485.tif 000026
【００６６】
位置および速度
を求め、そして、
求めた位置と速度に応じて前記同期装置のトルクを制御する。
【００６７】
本発明は、上述したような制御方法を用いることに適した同期電動装置を制御するシステムにも関する。
【００６８】
本発明は、車両、特には、少なくとも１つの同期電動装置を有するハイブリッドまたは電気自動車、さらに上述した制御システムを有する自動車にも関する。
【００６９】
本発明に応じた方法の他の特徴と効果は、添付図面を参照し、これ以降に限定されない例が与えられている明細書を読むことで明らかになるであろう。
【図面の簡単な説明】
【００７０】
【図１】図１は、本発明に応じた同期電動装置の制御を表す。
【図２】図２は、本発明に応じた方法フローチャートである。
【発明を実施するための形態】
【００７１】
本発明に応じた方法とシステムは突極同期電動装置のために適合されていることが気付かされる。同期電動装置は、永久磁石を有し、励磁制御またはダブル励磁タイプであることが可能である。そのような機械は、回転分である回転子と、静止部である固定子で構成されている。回転部は、少なくとも１つの磁石（または電磁石）を有する。固定子は、３つのフェーズを規定する少なくとも３つのコイルを有し、これらのコイルは、回転子を回転するために適した磁界を発生するために交互に供給される。その複数のコイルは、以下ケーシングとの称されるフレームによって支持されている。
【００７２】
図１は、３つのフェーズで構成された従来の同期電動装置の制御を表す。電動装置（４）は、フェーズ電圧および電流を計測する手段を備えている。これらの計測手段は図示されていない。電動装置の制御手段１は、前記電動装置（４）の回転子の位置および速度を求める手段（２）と、電動装置（４）のトルクを制御する手段（３）と、からなる。回転子位置および速度決定手段（２）は、電流ｉmおよび電圧ｕmの測定値から回転子の位置および速度を求める。これらは、電動装置（４）の３つのフェーズの各１つの電流および電圧である。トルク制御手段（３）は、電動装置（４）にトルク目標値（setpoint）を供給するために、位置θと速度ωと電流ｉmおよび電圧ｕmとに応じて、モータ端子に電圧を供給する。決定手段（２）は、電動装置（４）に電圧ｕimpを印加する。
【００７３】
実際、本発明に応じた方法では、電圧ｕimpが電動装置に注入（印加）される。この電圧は、モータ制御に影響しないように高周波数ｆcを有し、注入される電圧の周波数fcは、電動装置の制御信号の周波数よりも高く、不等式は、以下のように記載することができる：ωc＝２πｆc＞＞ω。例えば、注入された電圧の周波数ｆcは１ｋＨｚのオーダであり、回転子の回転の周波数は、低速で、５０Ｈｚのオーダである。信号注入は、モデルを、観測可能にし、静止を含んで、測定ノイズに対してロバストにする。
【００７４】
さらに、印加された前記電圧ｕimpは、電動装置の制御電圧の振幅よりも高い振幅Ｕcを有する。例えば、印加された前記電圧ｕimpの振幅Ｕcは、１０Ｖのオーダである。そのような周波数ｆcとそのような振幅Ｕcとを有する、印加された前記電圧ｕimpは、電動装置の制御に影響せず、そして、特に、電動装置の動作周波数が低いとき、その動作は妨げられない。
【００７５】
注記
以下の表記は、明細書において使われる：
ｕ：電動装置のフェーズの端子間の電圧
ｉ：電動装置のフェーズにおいて流れる電流
θ：固定子に対応する電動装置の回転子の回転角度に応じた回転子位置
ω：固定子に対応する電動装置の回転子の回転速度に応じた回転子速度
ｕimp：電動装置の印加（注入）された電圧
Ｕc：電動装置に印加された電圧ｕimpの振幅。１０Ｖのオーダで選択可能
ｆc：電動装置に印加された電圧ｕimpの周波数。１ｋＨｚのオーダで選択可能。ωc＝２πｆcである
χ：電動装置を通るトータルの磁束
Ｒ：電動装置のコイルの抵抗。既知のパラメータ（製品データ）または実験的に得られている。
Ｌd：上記電動装置の直接インダクタンス（direct inductance）、既知の電動装置のパラメータ（製品データまたは実験で得られている）
Ｌq：上記電動装置の直角位相インダクタンス（quadrature inductance）、既知の電動装置のパラメータ（製品データまたは実験で得られている）
【００７６】
【数２５】
2014230485.tif 000027
【００７７】
：上記電動装置の永久磁石によって作られた磁束、製造業者のデータまたは実験で得られることが可能なデータ
ｘ：複素平面における電流の状態表現
φ：連続フィルタによって引き起こされたフェーズシフト、このフェーズシフトはフィルタの機能であり、既知である（入力信号の基本周波数に依存する）
ｋ1，ｋ2，ｇ：管理される状態観測器を収束させるキャリブレーション変数
ｃ1，ｃ2，ａ1：状態観測器変数
我々はまた、
【００７８】
【数２６】
2014230485.tif 000028
【００７９】
とする。
【００８０】
「#m」によってインデックスが付けられたこれらの表記は、測定値を表す。推定値は、曲折アクセント記号によって示される。時間導関数は、ドットで示される。「#αβ」によってインデックスが付けられた表記は、数量がコンコーディア参照フレームで表現されていることを意味する。ｊは、複素数に対応する。複素平面において、数量の複素共役は、対象の数量上の線分により示される。
【００８１】
本発明は、同期電動装置の回転子の角度位置θおよび速度ωを求めることを認める。上記電動装置は、当該電動装置のフェーズの電圧および電流を求める手段を有する。本発明にかかる方法は、特に低いモータ速度において、または、電動装置が静止している場合において、回転子の位置θおよび速度ωを求めるために適している。１００ｒｐｍより低い、または、１００ｒｐｍと実質的に等しい電動装置の回転速度について、低いモータ速度とみなされ得る。その他のモータ速度について、本発明にかかる観測器は、精密さがより低い。この欠点を克服するために、他のアルゴリズムは、これらのモータ速度のために用いられ得る。例えば、その１つが、出願番号ＦＲ−１１／０３９９４の出願人の特許出願に記載されている。
【００８２】
図２は、本発明にかかる方法の様々なステージを表現している。
１）磁束（ＭＯＤ(χ)）の状態モデルを構築すること
２）電流および速度の状態観測器
【００８３】
【数２７】
2014230485.tif 000029
【００８４】
（ＯＢＳ(，)）
を構築すること
３）フィルタリング（ＦＩＬ）によって位置を推定すること
これらのステージの前に、電動装置のフェーズ中の電流ｉおよび電圧ｕが測定される。同期電動装置は、当該同期電動装置のフェーズへ供給される電力の電圧および電流の制御を通じて、トルク制御される。このモータの最適制御のために、フェーズ端子における電圧ｕmおよびその中を循環している電流ｉmを求めることが必要である。
【００８５】
１）磁束（ＭＯＤ（χ））の状態モデルを構築すること
測定された、またはむしろフィルタリングされた情報を用いて、トータルの磁束を再現することができる。それは電動装置を通る磁束であり、例えば、磁石の磁束に、突極同期電動装置に対する磁気電機子反応（例えば、回転子に起因する）に起因する磁束を加えたものである。
【００８６】
本発明の一実施形態によれば、以下の複数のステージを実行することによって、磁束の状態モデルが構築される。
ｉ）測定された電圧および電流を変換することによって、コンコーディア参照フレームにおける
【００８７】
【数２８】
2014230485.tif 000030
【００８８】
電圧    および  電流
を求めること。コンコーディア変換は、電気エンジニアリングの分野で、２フェーズモデルを用いて３フェーズシステムをモデル化するために用いられる数学的ツールである。
ｉｉ）コンコーディア参照フレームにおける磁束の状態表現は、以下のように記述される。
【００８９】
【数２９】
2014230485.tif 000031
【００９０】
この法則は、ジュール／ファラデー（Joule/Faraday）の法則から導き出される。
【００９１】
さらに、
【００９２】
【数３０】
2014230485.tif 000032
【００９３】
は、モータの巻線を通り、知られても測定されてもない、トータルの磁束を表す２次元ベクトルである。それは、以下の形に表される。
【００９４】
【数３１】
2014230485.tif 000033
【００９５】
ただし、
【００９６】
【数３２】
2014230485.tif 000034
【００９７】
は、永久磁石が生成する磁束であり、
【００９８】
【数３３】
2014230485.tif 000035
【００９９】
パラメータおよび
は、直接インダクタンスおよび直角位相インダクタンス
【０１００】
【数３４】
2014230485.tif 000036
【０１０１】
に依存する。
２）電流および速度の状態観測器
【０１０２】
【数３５】
2014230485.tif 000037
【０１０３】
（ＯＢＳ（））
を構築すること
このステージでは、我々は、前のステージで求められた磁束状態モデルと、電圧および電流の測定値とを用いて、電流および速度についての状態観測器を構築する。自動化および情報理論において、状態観測器は、状態表現の形で表現されるモデルの拡張である。システムの状態が測定可能でない場合、観測器は、ダイナミックシステムのモデルから状態を再現することを認め、他の数量（ｉm，ｕm）の測定値が構成される。
【０１０４】
本発明の一実施形態によれば、上記の電流および回転子速度の状態観測器は、以下の複数のステージを実行することによって、構築される。
ｉ）
【０１０５】
【数３６】
2014230485.tif 000038
【０１０６】
のタイプの式による磁束の表現と磁束χαβの状態モデルとから、電流ｉαβの状態表現を求めること。ただし、
【０１０７】
【数３７】
2014230485.tif 000039
【０１０８】
は、電動装置の永久磁石によって生成される磁束であり、
【０１０９】
【数３８】
2014230485.tif 000040
【０１１０】
であり、
【０１１１】
【数３９】
2014230485.tif 000041
【０１１２】
であり、（Ｌd，Ｌq）は、直接インダクタンスおよび直角位相インダクタンスであり、
【０１１３】
【数４０】
2014230485.tif 000042
【０１１４】
であり、
【０１１５】
【数４１】
2014230485.tif 000043
【０１１６】
であり、そして
【０１１７】
【数４２】
2014230485.tif 000044
【０１１８】
である。
【０１１９】
ｘ＝ｉα＋ｊｉβ  および  ｕ＝ｕα＋ｊｕβとすることによって、複素平面における状態表現を変換すること。ただし、ｊは複素数である。そして等価モデルは、以下のような形をとる。
【０１２０】
【数４３】
2014230485.tif 000045
【０１２１】
ただし、
【０１２２】
【数４４】
2014230485.tif 000046
【０１２３】
である。
ｉｉｉ）学習されたモデルは、周期的なシステムであることを考慮すること。微分方程式の解は、以下のような形で表される。
【０１２４】
【数４５】
2014230485.tif 000047
【０１２５】
ただし、
【０１２６】
【数４６】
2014230485.tif 000048
【０１２７】
としたとき、θcは、電動装置に印加される電圧ｕimpと関連する位置であり、
【０１２８】
【数４７】
2014230485.tif 000049
【０１２９】
である。我々は、したがって、電流および回転子速度（または電気周波数）に対する状態観測器を、以下のタイプの方程式を用いて求めることができる。
【０１３０】
【数４８】
2014230485.tif 000050
【０１３１】
ただし、正規化された電流測定値
【０１３２】
【数４９】
2014230485.tif 000051
【０１３３】
であり、ｋ1，ｋ2，ｇは、管理されることになる観測器の収束を許容するゲインである。
【０１３４】
３）フィルタリング（ＦＩＬ）によって位置を推定すること
このステージでは、我々は、回転速度と、測定された電流と、印加された電圧の状態観測器を用いて、回転子の位置を求める。
【０１３５】
本発明の一実施形態によれば、パラメータａ1，ｃ1，ｃ2を求めるために、速度
【０１３６】
【数５０】
2014230485.tif 000052
【０１３７】
の推定値が用いられる。定常の走行条件下では、以下のようなタイプの方程式が得られる。
【０１３８】
【数５１】
2014230485.tif 000053
【０１３９】
パラメータｃ2は、このシステムから求められる。
【０１４０】
回転子位置の推定値を得るための最後のステージは、ｅjθcの項に、測定された電流（であって、推定された電流ではない）を乗じた後に、フィルタリングすることからなる。高周波数をフィルタするバンドパスフィルタがこのため形成され、周波数ｆcが、印加された電圧により生成される。そのような条件下で、フィルタ出力は、以下のように記述され得る。
【０１４１】
【数５２】
2014230485.tif 000054
【０１４２】
ただし、Φは、フィルタによって誘導されるフェーズシフトであり、このフェーズシフトは既知である。このため、電動装置の回転子の角度位置θの推定値は、以下のタイプの数式によって計算され得る。
【０１４３】
【数５３】
2014230485.tif 000055
【０１４４】
フェーズシフトは、入力信号、特に、本発明の一実施形態にかかる電流の基本周波数に依存する。
【０１４５】
本発明にかかる方法は、低い速度（例えば１００ｒｐｍ未満）については、出願番号ＦＲ−１１／０３９９４の出願人の特許出願に記載された方法と、他の速度（例えば１００ｒｐｍ超）については、先の特許出願の方法が組み合わせて適用される。
【０１４６】
この方法の全てのステージは、コンピュータツール、特に、電動装置のコントローラによって実行される。このため、回転子の位置および速度は、リアルタイムで求められる。実際、本発明にかかる方法の利点の１つは、オンラインですぐに実装することができることであり、したがって、電気／ハイブリッド自動車の計算機に容易に組み込むことができることである。
【０１４７】
本発明は、また、同期電動装置を制御する方法に関する。以下の複数のステージが実行される。
−上記の方法を用いて、上述のように、印加された電圧ｕimpを注入することによって、上記電動装置の回転子の位置θおよび速度ωを求めること、および
−上記同期装置のトルクを、位置θおよび求められた速度ωに従って制御すること。このステージは、回転子の位置および速度と、測定された電圧および電流とに加えて、対象の電動装置のトルクのベクトル制御の、従来の任意の方法を用いて実行することができる。電動装置の制御について、位置および速度を考慮することは、電動装置の挙動を正確に求めることを認め、これは、達成するための動作に適した制御を可能にする。
【０１４８】
さらに、本発明は、上述の制御方法を適用するのに適した、同期電動装置の制御システムに関する。そのような、電動装置（４）を制御するためのシステム（１）は、図１に描かれている。電動装置の制御手段（１）は、上記電動装置（４）の回転子の位置および速度を求める手段（２）と、電動装置（４）のトルクを制御する手段（３）とを有する。手段（２）は、電動装置（４）の回転子の位置および速度を、電圧および電流の測定値ｕm，ｉmから求める。これらは、電動装置（４）の３つのフェーズのうちのそれぞれについての、複数の電圧と複数の電流である。トルク制御手段（３）は、電動装置（４）のためのトルク目標値を提供するために、内部温度と、速度ωと、電圧ｕmおよび電流ｉmとに従って、電圧をモータ端子に印加する。
【０１４９】
この制御システムは、車両、特に電気またはハイブリッド自動車に取り付けられた同期電動装置のために用いられる。しかしながら、記載された制御システムは、この実施形態に限定されず、全ての同期電動装置への適用に適している。
【符号の説明】
【０１５０】
１    制御手段
２    回転子位置および速度決定手段
３    トルク制御手段
４    電動装置
【図１】
2014230485.tif 000080
【図２】
2014230485.tif 000081
【外国語明細書】
2014230485.tif 000082
2014230485.tif 000083
2014230485.tif 000084
2014230485.tif 000085
2014230485.tif 000086
2014230485.tif 000087
2014230485.tif 000088
2014230485.tif 000089
2014230485.tif 000090
2014230485.tif 000091
2014230485.tif 000092
2014230485.tif 000093
2014230485.tif 000094
2014230485.tif 000095
2014230485.tif 000096
2014230485.tif 000097
2014230485.tif 000098
2014230485.tif 000099
2014230485.tif 000100
2014230485.tif 000101
2014230485.tif 000102
2014230485.tif 000103
2014230485.tif 000104